(57)【要約】【課題】リセット機構を駆動させるときの駆動トルクの増大を抑制すること。【解決手段】複数の糸を用いて縫製を行うミシンにおける各糸の糸張力を一つの駆動源の駆動又は手動操作により同時に調整し、各糸毎に設けられた糸張力調整機構１０と、各糸毎に設けられ、各糸の張力を手動操作で個別に微調節する糸張力微調整機構３０と、各糸毎に設けられ、糸張力微調整機構により各糸に付与した張力を糸張力調整機構に連動させて基準値に復帰させるリセット機構５０と、を備えるミシンの糸調子装置１において、リセット機構は、それぞれの糸の張力を基準値に復帰させるタイミングをずらして各糸の張力を基準値に復帰させる。【選択図】図７
2009142541.tif 000002
【特許請求の範囲】
【請求項１】
複数の糸を用いて縫製を行うミシンにおける各糸の糸張力を一つの駆動源の駆動又は手動操作により同時に調整し、各糸毎に設けられた糸張力調整機構と、
各糸毎に設けられ、各糸の張力を手動操作で個別に微調節する糸張力微調整機構と、
各糸毎に設けられ、前記糸張力微調整機構により各糸に付与した張力を前記糸張力調整機構に連動させて基準値に復帰させるリセット機構と、を備えるミシンの糸調子装置において、
前記リセット機構は、それぞれの糸の張力を基準値に復帰させるタイミングをずらして各糸の張力を基準値に復帰させることを特徴とするミシンの糸調子装置。
【請求項２】
前記糸張力微調整機構は、手動操作により糸への張力を調節する微調整ダイヤルを有し、
前記リセット機構は、
前記糸張力調整機構の動作に連動して回転するリセットカム軸と、
前記リセットカム軸に設けられ、前記リセットカム軸と共に軸回りに回転するリセットカムと、
前記リセットカムの動作により前記微調整ダイヤルを原点位置に戻すように駆動するリセットレバーと、
前記リセットカムに形成され、前記リセットカムの動作により前記リセットレバーを駆動させる駆動力付与部と、を有し、
それぞれの前記駆動力付与部が前記リセットカム軸の軸線に対してその回転方向に異なる位置となるように前記リセットカムを前記リセットカム軸に設けたことを特徴とする請求項１に記載のミシンの糸調子装置。
【請求項３】
前記糸張力微調整機構は、操作により糸への張力を調節するための微調整ダイヤルを有し、
前記リセット機構は、
前記糸張力調整機構の動作に連動して回転するリセットカム軸と、
前記リセットカム軸に設けられ、前記リセットカム軸と共に軸回りに回転するリセットカムと、
前記リセットカムの動作により前記微調整ダイヤルを原点位置に戻すように駆動するリセットレバーと、
前記リセットカムに形成され、前記リセットカムの動作により前記リセットレバーを駆動させる駆動力付与部と、を有し、
それぞれの前記駆動力付与部は、前記リセットカム軸の軸線に対してその回転方向に異なる位置となるように前記リセットカムに形成されていることを特徴とする請求項１に記載のミシンの糸調子装置。
【発明の詳細な説明】
【技術分野】
【０００１】
本発明は、ミシンの糸にかける張力を調節するミシンの糸調子装置に関する。
【背景技術】
【０００２】
綺麗な縫い目を形成して被縫製物の縫製品質を向上するためには、糸に適正な張力を与える必要がある。糸に適正な張力を与えるために、糸にかかる張力を調節する糸調子装置がある。
例えば、オーバーロックミシンにおいては、複数の糸が用いられることから、各糸の張力バランスを保つことが重要であり、各糸毎に糸張力調整機構を設け、それぞれの糸に適正な張力を同時にかけることができる糸調子装置がある（例えば、特許文献１参照。）。
また、このような糸調子装置には、各糸にかかる張力の微調整を行う微調整機構が設けられているものもある。
各糸への糸張力は、先ず糸調子機構により縫い目の種類などに応じた基準値がかけられる。糸張力の基準値は、例えば選択された縫い目を縫製する場合によく用いられる糸に合わせた値や、選択された縫い目に用いる糸張力の範囲の中心値などに設定される。
糸張力の基準値では、期待した縫い目の品質が得られない場合は、微調整機構により糸張力を基準値から加減する。このため微調整機構は調整範囲の中心（原点位置）に位置するときに糸張力の基準値をかけられるように設けられている。また微調整は各糸毎に行う必要があるため、各糸に同時に糸張力をかける糸調子機構とは独立して調整可能となっている。
糸調子機構により各糸にかかる糸張力は、微調整機構が調整範囲の中心（原点位置）に位置するときに糸張力の基準値になるように設定されているため、別の縫い目の種類で縫製を行うために、各糸の糸張力を変更し、糸調子調整の開始点である基準値にするためには、糸調子機構による糸調子の変更と同時に、微調整機構による糸張力を基準値に復帰させる（リセットする）必要がある。
そこで、糸張力調整機構による糸調子の変更に連動させて微調整機構をリセットすることができるリセット機構が知られている（例えば、特許文献１参照。）。
【特許文献１】特許第２６８６１８８号公報
【発明の開示】
【発明が解決しようとする課題】
【０００３】
しかし、上記のリセット機構では、全ての糸の張力を基準値に復帰させる動作を同時に行う構成であったため、リセット機構を駆動させるときの駆動トルクが大きくなってしまうという問題があった。
【０００４】
本発明は、上記課題を解決するためになされたものであり、リセット機構を駆動させるときの駆動トルクの増大を抑制することができるミシンの糸調子装置を提供することを目的とする。
【課題を解決するための手段】
【０００５】
請求項１に記載の発明は、複数の糸を用いて縫製を行うミシンにおける各糸の糸張力を一つの駆動源の駆動又は手動操作により同時に調整し、各糸毎に設けられた糸張力調整機構と、各糸毎に設けられ、各糸の張力を手動操作で個別に微調節する糸張力微調整機構と、各糸毎に設けられ、前記糸張力微調整機構により各糸に付与した張力を前記糸張力調整機構に連動させて基準値に復帰させるリセット機構と、を備えるミシンの糸調子装置において、前記リセット機構は、それぞれの糸の張力を基準値に復帰させるタイミングをずらして各糸の張力を基準値に復帰させることを特徴とする。
【０００６】
請求項１に記載の発明によれば、リセット機構は、それぞれの糸の張力を基準値に復帰させるタイミングをずらして各糸の張力を基準値に復帰させるので、糸張力微調整機構が複数設けられていても、複数の糸の張力を同時に基準値に復帰させることがなくなり、基準値に復帰させる時点で見れば一台分のトルクで糸の張力を基準値に復帰させることが可能となる。
よって、リセット機構を駆動させるときの駆動トルクの増大を抑制することができる。
【０００７】
請求項２に記載の発明は、請求項１に記載のミシンの糸調子装置において、前記糸張力微調整機構は、手動操作により糸への張力を調節する微調整ダイヤルを有し、前記リセット機構は、前記糸張力調整機構の動作に連動して回転するリセットカム軸と、前記リセットカム軸に設けられ、前記リセットカム軸と共に軸回りに回転するリセットカムと、前記リセットカムの動作により前記微調整ダイヤルを原点位置に戻すように駆動するリセットレバーと、前記リセットカムに形成され、前記リセットカムの動作により前記リセットレバーを駆動させる駆動力付与部と、を有し、それぞれの前記駆動力付与部が前記リセットカム軸の軸線に対してその回転方向に異なる位置となるように前記リセットカムを前記リセットカム軸に設けたことを特徴とする。
【０００８】
請求項２に記載の発明によれば、糸張力調整機構の動作に連動してリセットカム軸が回転すると、リセットカムも共に回転する。リセットカムの回転動作により、リセットカムに形成された駆動力付与部はリセットレバーに当接し、リセットレバーを駆動させる。
ここで、それぞれの駆動力付与部がリセットカム軸の軸線に対してその回転方向に異なる位置となるようにリセットカムをリセットカム軸に設けているため、リセットカム軸が回転した場合に、それぞれの駆動力付与部はリセットレバーに同時に当接することはない。
これにより、糸張力微調整機構が複数設けられていても、複数の糸の張力を同時に基準値に復帰させることがなくなり、基準値に復帰させる時点で見れば一台分のトルクで糸の張力を基準値に復帰させることが可能となる。
よって、リセット機構を駆動させるときの駆動トルクの増大を抑制することができる。
【０００９】
請求項３に記載の発明は、請求項１に記載のミシンの糸調子装置において、前記糸張力微調整機構は、操作により糸への張力を調節するための微調整ダイヤルを有し、前記リセット機構は、前記糸張力調整機構の動作に連動して回転するリセットカム軸と、前記リセットカム軸に設けられ、前記リセットカム軸と共に軸回りに回転するリセットカムと、前記リセットカムの動作により前記微調整ダイヤルを原点位置に戻すように駆動するリセットレバーと、前記リセットカムに形成され、前記リセットカムの動作により前記リセットレバーを駆動させる駆動力付与部と、を有し、それぞれの前記駆動力付与部は、前記リセットカム軸の軸線に対してその回転方向に異なる位置となるように前記リセットカムに形成されていることを特徴とする。
【００１０】
請求項３に記載の発明によれば、糸張力調整機構の動作に連動してリセットカム軸が回転すると、リセットカムも共に回転する。リセットカムの回転動作により、リセットカムに形成された駆動力付与部はリセットレバーに当接し、リセットレバーを駆動させる。
ここで、それぞれの駆動力付与部は、リセットカム軸の軸線に対してその回転方向に異なる位置となるようにリセットカムに形成されているため、リセットカム軸が回転した場合に、それぞれの駆動力付与部はリセットレバーに同時に当接することはない。
これにより、糸張力微調整機構が複数設けられていても、複数の糸の張力を同時に基準値に復帰させることがなくなり、基準値に復帰させる時点で見れば一台分のトルクで糸の張力を基準値に復帰させることが可能となる。
よって、リセット機構を駆動させるときの駆動トルクの増大を抑制することができる。
【発明の効果】
【００１１】
請求項１に記載の発明によれば、リセット機構は、それぞれの糸の張力を基準値に復帰させるタイミングをずらして各糸の張力を基準値に復帰させるので、糸張力微調整機構が複数設けられていても、複数の糸の張力を同時に基準値に復帰させることがなくなり、基準値に復帰させる時点で見れば一台分のトルクで糸の張力を基準値に復帰させることが可能となる。
よって、リセット機構を駆動させるときの駆動トルクの増大を抑制することができる。
【００１２】
請求項２に記載の発明によれば、糸張力調整機構の動作に連動してリセットカム軸が回転すると、リセットカムも共に回転する。リセットカムの回転動作により、リセットカムに形成された駆動力付与部はリセットレバーに当接し、リセットレバーを駆動させる。
ここで、それぞれの駆動力付与部がリセットカム軸の軸線に対してその回転方向に異なる位置となるようにリセットカムをリセットカム軸に設けているため、リセットカム軸が回転した場合に、それぞれの駆動力付与部はリセットレバーに同時に当接することはない。
これにより、糸張力微調整機構が複数設けられていても、複数の糸の張力を同時に基準値に復帰させることがなくなり、基準値に復帰させる時点で見れば一台分のトルクで糸の張力を基準値に復帰させることが可能となる。
よって、リセット機構を駆動させるときの駆動トルクの増大を抑制することができる。
【００１３】
請求項３に記載の発明によれば、糸張力調整機構の動作に連動してリセットカム軸が回転すると、リセットカムも共に回転する。リセットカムの回転動作により、リセットカムに形成された駆動力付与部はリセットレバーに当接し、リセットレバーを駆動させる。
ここで、それぞれの駆動力付与部は、リセットカム軸の軸線に対してその回転方向に異なる位置となるようにリセットカムに形成されているため、リセットカム軸が回転した場合に、それぞれの駆動力付与部はリセットレバーに同時に当接することはない。
これにより、糸張力微調整機構が複数設けられていても、複数の糸の張力を同時に基準値に復帰させることがなくなり、基準値に復帰させる時点で見れば一台分のトルクで糸の張力を基準値に復帰させることが可能となる。
よって、リセット機構を駆動させるときの駆動トルクの増大を抑制することができる。
【発明を実施するための最良の形態】
【００１４】
［実施形態１］
＜ミシンの糸調子装置の構成＞
以下、図面を参照して本発明の実施形態について説明する。なお、実施形態においては、複数の糸を用いて縫製を行うオーバーロックミシンを例に挙げて説明する。
図１に示すように、ミシンの糸調子装置１は、ミシンの各糸の糸張力を一つのステッピングモータにより同時に調整する糸張力調整機構１０と、各糸の張力を手動操作で個別に微調節する糸張力微調整機構３０と、糸張力微調整機構３０により各糸に付与した張力を基準値に復帰させるリセット機構５０と、を備えている。
【００１５】
（糸張力調整機構）
図１〜図３に示すように、糸張力調整機構１０は、土台Ｆに設けられたステッピングモータ１１と、ステッピングモータ１１の出力軸に設けられ、かかる出力軸と共に回転するモータギヤ１２と、このモータギヤ１２に噛み合うように設けられた減速ギヤ１３と、減速ギヤ１３に形成されたカム部１３ａに当接するように設けられた糸張力調整カムギヤ１４と、を備えている。
糸張力調整カムギヤ１４は、回転軸となる糸張力調整カム軸１５により軸支されている。糸張力調整カム軸１５は、土台Ｆに支持されている。糸張力調整カム軸１５には、各糸に対応する複数の糸張力調整カム１６が設けられている。糸張力調整カム１６には、各糸に付与する張力に応じたカム面が形成されている。糸張力調整カム軸１５の一端部には、後述するリセットギヤ１７が設けられている。
【００１６】
土台Ｆには、糸張力調整カム軸１５に対して平行に糸調子軸２１が設けられている。糸調子軸２１には、糸張力調整カム１６に当接するカム受け２２が各糸張力調整カム１６に対応して設けられている。カム受け２２は、円筒状に形成されており、その両端部が拡径された形状とされている。カム受け２２には、糸張力調整カム２２に当接する当接突起２２ａが形成されている。糸調子軸２１には、土台Ｆとカム受け２２の一端部との間に圧縮バネ２３が設けられている。圧縮バネ２３は、圧縮された状態でカム受け２２が設けられており、圧縮バネ２３はカム受け２２をその復元力により押圧している。糸張力調整カム１６は、圧縮バネ２３の付勢力に抗するように当接突起２２ａを押圧している。
カム受け２２の他端部には、糸張力調整バネ２４を間に挟んで皿押さえブロック２５が設けられている。皿押さえブロック２５には、糸に張力を付与するための皿２６が設けられている。皿押さえブロック２５に対向する位置には、調整ブロック２７が設けられている。調整ブロック２７には、皿２６に対向する位置に皿２８が設けられている。すなわち、皿２６と皿２８によって糸に張力をかけることができる。
【００１７】
（糸張力微調整機構）
図１〜図３に示すように、糸張力微調整機構３０は、糸調子軸２１に設けられ、土台Ｆに対して糸調子軸２１の軸線方向に移動可能に設けられた微調整ギヤ３１を備えている。微調整ギヤ３１には、土台Ｆに形成されたネジ溝に螺合するネジ溝３１ａが形成されており、微調整ギヤ３１を糸調子軸２１回りに回転させることにより、糸調子軸２１の軸線方向に移動する。微調整ギヤ３１は、調整ブロック２７に対して回転可能であるが、調整ブロック２７に対する糸調子軸２１の軸線方向への移動は規制されるように調整ブロック２７に取り付けられている。従って、微調整ギヤ３１の回転により調整ブロック２７は微調整ギヤ３１と共に糸調子軸２１の軸線方向に沿って移動することができるが、調整ブロック２７から微調整ギヤ３１が離脱することは規制されている。微調整ギヤ３１には、減速ギヤ（図示しない）を介して微調整ダイヤル３２が接続されている。すなわち、微調整ダイヤル３２を手動操作により回転させることで微調整ギヤ３１を回転させることができる。
微調整ダイヤル３２は、土台Ｆに回転自在に設けられている。微調整ダイヤル３２は、円筒の一部が切り欠かれた断面視弧状に形成されている。
【００１８】
（リセット機構）
図１〜図３に示すように、リセット機構５０は、土台Ｆに設けられたリセットカム軸５１と、リセットカム軸５１に軸支されたリセットカム５２と、リセットカム５２の外縁を二方向から挟み込むようにそれぞれ設けられ、互いの一端部が回転自在に連結されると共に他端部が微調整ダイヤル３２に係合されたリセットレバー５３，５４と、を備えている。
リセットカム軸５１は、糸張力調整カム軸１５及び糸調子軸２１に平行に設けられている。リセットカム軸５１の一端部には、リセットギヤ１７に噛み合うリセットギヤ５５が設けられている。リセットギヤ５５は、リセットギヤ１７に対して、例えば、４倍の歯数を有しており、ギヤ比が４となるように構成されている。リセットカム軸５１は、リセットギヤ１７，５５を介して糸張力調整機構１０の糸張力調整カム軸１５に連結されているので、糸張力調整カム軸１５の回転により、リセットカム軸５１も減速された状態で連動して回転する。すなわち、リセットギヤ１７及びリセットギヤ５５を備えることにより減速機構４０が構成される。
【００１９】
図４〜図６に示すように、リセットカム軸５１には、外側に向けて突出する駆動力付与部としての突起部５２ａを有するリセットカム５２が設けられている。リセットカム５２は、正面視略円板状に形成され、リセットカム軸５１と共に軸回りに回転する。リセットカム５２におけるリセットカム軸５１を挟んで対向する位置には、突起部５２ａが形成されている。突起部５２ａは、リセットカム５２が回転した際にリセットレバー５３，５４に当接してリセットレバー５３，５４を駆動させるものである。突起部５２ａは、両突起部５２ａを結ぶ直線がリセットカム軸５１の中心を通るように形成されている。すなわち、リセットカム軸５１の中心と二つの突起部５２ａとを結ぶそれぞれの直線がなす角度が１８０°となるように形成されている。
図７に示すように、各糸毎に設けられているリセットカム５２は、それぞれのリセットカム５２に形成された突起部５２ａがリセットカム軸５１の軸線に対してその回転方向に異なる位置となるようにリセットカム軸５１に設けられている。すなわち、図７（ｂ）に示すように、リセットカム５２は、リセットカム軸５１の軸線方向から見た際にその取り付け位置がずれるようにリセットカム軸５１に取り付けられている。このような構成とすることで、リセットカム軸５１を回転させた際に、各突起部５２ａがリセットレバー５３，５４に当接するタイミングをずらすことができるようになっている。
【００２０】
リセットレバー５３，５４は、リセットカム５２の動作により微調整ダイヤル３２を原点位置に戻すように駆動する。
リセットレバー５３は、リセットカム５２を上方から覆うと共に微調整ダイヤル３２に向けて延びるように形成されている。リセットレバー５３のうち、リセットカム５２に対向する外縁には、リセットカム５２の外縁に当接する突起部５３ａが形成されている。リセットレバー５４は、リセットカム５２を下方から覆うと共に微調整ダイヤル３２に向けて延びるように形成されている。リセットレバー５４のうち、リセットカム５２に対向する外縁には、リセットカム５２の外縁に当接する突起部５４ａが形成されている。
突起部５３ａ，５４ａは、常にリセットカム５２の外縁に当接しており、リセットカム５２の回転に伴い、リセットカム５２の外縁の凹凸に追随して移動する。これにより、リセットレバー５３，５４が互いに接離するようになっている。
リセットレバー５３，５４の一端部は、軸部材５６及びＥリング５７によって回転自在に連結されている。リセットレバー５３，５４の他端部は、微調整ダイヤル３２の切り欠き面に形成された当接面３２ａに接触するように形成されている。リセットレバー５３とリセットレバー５４は、一端部と他端部の間でバネ５８によって連結されており、互いの他端部が接近する方向に付勢されている。
【００２１】
図４に示すように、リセットレバー５３，５４の突起部５３ａ，５４ａはリセットカム５２の外縁に当接するように設けられているため、図５に示すように、リセットカム５２が回転してリセットカム５２の突起部５２ａとリセットレバー５３，５４の突起部５３ａ，５４ａが対向するように当接したときに突起部５２ａ，５３ａ，５４ａの高さの分だけリセットレバー５３，５４が一端部を中心に回転する。
また、リセットギヤ１７とリセットギヤ５５のギヤ比が４であるため、リセットギヤ１７が１回転する間にリセットギヤ５５は１／４回転することになる。これを利用することにより、糸張力調整機構１０と糸張力微調整機構３０とを常に同時に連動させないようにしている。
【００２２】
図６を用いて説明すると、糸調子装置１の動作前は、リセットカム５２の突起部５２ａをそれぞれＰ１，Ｐ３に向くように配置し、この状態から糸調子装置１を動作させる場合には、糸張力調整カム軸１５が２回転目（Ｐ２から回転し始めるとき）及び４回転目（Ｐ４から回転し始めるとき）に入るときにリセットカム５２の突起部５２ａとリセットレバー５３，５４の突起部５３ａ，５４ａとが当接するのでリセットレバー５３，５４がバネ５８の付勢力に抗して回転する。リセットレバー５３，５４の回転によりリセットレバー５３，５４の他端部が互いに離間する方向に回転して微調整ダイヤル３２の当接部３２ａに当接することにより、微調整ダイヤル３２を回転させる。この一連の動作によって微調整ダイヤル３２により糸にかけた張力を基準値に復帰させることができる。
従って、糸張力調整機構１０の糸張力調整カム軸１５を奇数回数だけ回転させたときには、糸に狙いの張力を付与することができると共に微調整ダイヤル３２によって付与された張力は基準値に復帰されず、糸張力調整カム軸１５を偶数回数だけ回転させたときには、糸張力調整機構１０による張力の付与を中断して微調整ダイヤル３２により付与された張力を基準値に復帰（リセット）することができる。言い換えると、糸張力調整機構１０のみで各糸に張力を付与する動作と、糸張力調整機構１０の動作時に当該糸張力調整機構１０の動作に連動して糸張力微調整機構３０による各糸の張力をリセット機構５０により基準値に復帰させる動作と、を交互に行うことになる。
【００２３】
＜糸調子装置の動作説明＞
次に、糸調子装置１の動作について説明する。
ステッピングモータ１１を駆動させると、その駆動はモータギヤ１２、減速ギヤ１３、糸張力調整カムギヤ１４を介して糸張力調整カム軸１５を回転させる。糸張力調整カム軸１５の回転により、糸張力調整カム１６も回転し、当接突起２２ａに当接する糸張力調整カム１６のカム形状によりカム受け２２は、糸調子軸２１の軸線方向に沿って移動する。カム受け２２の移動により、皿押さえブロック２５は、糸張力調整バネ２４から作用する付勢力が変化するので皿２６と皿２８との間の付勢力も変化し、糸に付与する張力を変えることができる。また、微調整ダイヤル３２を回転操作することにより、調整ブロック２７を糸調子軸２１に沿って移動させることができるので、糸張力調整ばね２４の高さを変化させ、更に皿２６と皿２８との間の付勢力も変化させ、糸に付与する張力の微調整を行うことができる。
この１回転目においては、糸張力調整カム軸１５の回転はリセットギヤ１７，５５を介してリセットカム軸５１に伝達される。そのため、リセットカム軸５１も回転し、リセットカム軸５１に設けられているリセットカム５２も回転する。
糸張力調整カム軸１５の１回転目においては、リセットカム５２の突起部５２ａとリセットレバー５３，５４の突起部５３ａ，５４ａは当接しないので、リセットレバー５３，５４は回転せず、微調整ダイヤル３２も動かない。よって、微調整ダイヤル３２により糸に付与された張力は基準値に復帰されない。
【００２４】
しかし、ステッピングモータ１１をさらに駆動させ、糸張力調整カム軸１５が２回転目に入ろうとすると、リセットカム５２の突起部５２ａとリセットレバー５３，５４の突起部５３ａ，５４ａは当接し、リセットレバー５３，５４は、一端部の軸部材５６を中心に互いに離間するように回転する。これにより、リセットレバー５３，５４の他端部５３ｂ、５４ｂが微調整ダイヤル３２を押圧し、微調整ダイヤル３２は、原点位置に戻る方向に回転し、微調整ダイヤル３２によって糸に付与されていた張力は基準値に復帰される。
ステッピングモータ１１をさらに駆動させ、糸張力調整カム軸１５が３回転目に入ろうとすると、リセットカム５２の突起部５２ａとリセットレバー５３，５４の突起部５３ａ，５４ａは当接しないので、リセットレバー５３，５４は回転せず、微調整ダイヤル３２も動かない。よって、微調整ダイヤル３２により糸に付与された張力は基準値に復帰されない。
そして、ステッピングモータ１１をさらに駆動させ、糸張力調整カム軸１５が４回転目に入ろうとすると、リセットカム５２の突起部５２ａとリセットレバー５３，５４の突起部５３ａ，５４ａは当接し、リセットレバー５３，５４は、一端部の軸部材５６を中心に互いに離間するように回転する。これにより、リセットレバー５３，５４の他端部部５３ｂ、５４ｂが微調整ダイヤル３２を押圧し、微調整ダイヤル３２は、原点位置に戻る方向に回転し、微調整ダイヤル３２によって糸に付与されていた張力は基準値に復帰される。
【００２５】
＜リセットカムによる糸張力を基準値に復帰させるタイミングの説明＞
次に、糸調子装置１の動作時における各リセットカム５２による各糸の張力を基準値に復帰させるタイミングについて説明する。
図７（ａ）に示すように、例えば、糸張力調整機構１０、糸張力微調整機構３０、リセット機構５０のそれぞれ一つからなる糸調子ユニットの三つを取り上げて説明する。糸調子軸２１の回転により、リセットギヤ１７，５５を介してリセットカム軸５１に駆動が伝達されると、リセットカム軸５１も軸回りに回転する。リセットカム軸５１の回転により、リセットカム軸５１に設けられたそれぞれのリセット機構５０のリセットカム５２も回転する。このとき、図７（ｂ）に示すように、リセットカム５２は、その突起部５２ａがリセットカム軸５１の回転方向にずれるように設けられていることから、リセットレバー５３，５４に各突起部５２ａが当接する位相はそれぞれ異なる。
【００２６】
具体的には、図７（ａ）において、紙面に対して最も上方の糸調子ユニットにおけるリセットカム５２の突起部５２ａをリセットレバー５３の突起部５３ａに最も早く当接するようにし、紙面に対して中央の糸調子ユニットにおけるリセットカム５２の突起部５２ａをリセットレバー５３の突起部５３ａに次に早く当接するようにし、紙面に対して最も下方の糸調子ユニットにおけるリセットカム５２の突起部５２ａをリセットレバー５３の突起部５３ａに最も遅く当接するようにする。
ここで、図８（ａ）に示すように、従来のように全てのリセットカム５２が同じタイミングでリセットレバー５３，５４を動作させる場合には、各突起部５２ａがリセットレバー５３，５４の突起部５３ａ，５４ａに当接してリセットレバー５３，５４を移動させるときにリセットカム軸５１に作用するトルクが増加するので、糸調子ユニット全体におけるトルクは、非常に大きなものになる。
【００２７】
これに対し、図７（ｂ）に示すように、リセットカム５２の取り付け位置をずらした場合には、各糸調子ユニットにおいてリセットカム軸５１に作用するトルクが増加する時間帯も図８（ｂ）に示すように重ならないので、糸調子ユニット全体におけるトルクは、最大でも糸調子ユニット一台分のトルクで済むこととなる。
【００２８】
＜実施形態１の作用効果＞
このように、ミシンの糸調子装置１によれば、リセット機構５０のリセットカム５２は、それぞれの糸の張力を基準値に復帰させるタイミングをずらして各糸の張力を基準値に復帰させるので、糸張力微調整機構３０が複数設けられていても、複数の糸の張力を同時に基準値に復帰させることがなくなり、基準値に復帰させる時点で見れば一台分のトルクで糸の張力を基準値に復帰させることが可能となる。
よって、リセット機構５０を駆動させるときの駆動トルクの増大を抑制することができる。
【００２９】
すなわち、糸張力調整機構１０の動作に連動してリセットカム軸５１が回転すると、リセットカム５２も共に回転する。リセットカム５２の回転動作により、リセットカム５２に形成された突起部５２ａはリセットレバー５３，５４の突起部５３ａ，５４ａに当接し、リセットレバー５３，５４を駆動させる。
ここで、それぞれのリセットカム５２の突起部５２ａがリセットカム軸５１の軸線に対してその回転方向に異なる位置となるようにリセットカム５２をリセットカム軸５１に設けているため、リセットカム軸５１が回転した場合に、それぞれの突起部５２ａはリセットレバー５３，５４に同時に当接することはない。
これにより、糸張力微調整機構１０が複数設けられていても、複数の糸の張力を同時に基準値に復帰させることがなくなり、基準値に復帰させる時点で見れば一台分のトルクで糸の張力を基準値に復帰させることが可能となる。
よって、リセット機構５０を駆動させるときの駆動トルクの増大を抑制することができる。
【００３０】
［実施形態２］
次に、本発明の実施形態２について説明する。なお、実施形態２における糸調子装置が実施形態１と異なる部分は、リセットカムの構成であるため、リセットカムの構成を中心に説明し、実施形態１と同様の構成要素には同一符号を付して説明を省略する。
＜リセットカムの構成＞
図９に示すように、リセットカム軸５１に設けられているリセットカム８２は、実施形態１において上述したリセットカム５２と異なり、突起部８２ａがリセットカム軸５１の中心を通る線を中心として非対称に形成されている。すなわち、リセットカム軸５１の中心と二つの突起部８２ａとを結ぶそれぞれの直線がなす角度が１８０°ではない。このような構成とすることにより、一方の突起部８２ａがリセットレバー５３に当接するタイミングと他方の突起部８２ａがリセットレバー５４に当接するタイミングをずらし、各々のリセットレバーが移動している時間帯が重ならないようにすることができる。
【００３１】
＜リセットカムによる糸張力を基準値に復帰させるタイミングの説明＞
次に、糸調子装置１の動作時における各リセットカム５２による各糸の張力を基準値に復帰させるタイミングについて説明する。
実施形態１と同様に、例えば、糸張力調整機構１０、糸張力微調整機構３０、リセット機構５０のそれぞれ一つからなる糸調子ユニットの三つを取り上げて説明する。糸調子軸２１の回転により、リセットギヤ１７，５５を介してリセットカム軸５１に駆動が伝達されると、リセットカム軸５１も軸回りに回転する。リセットカム軸５１の回転により、リセットカム軸５１に設けられたそれぞれのリセット機構５０のリセットカム８２も回転する。このとき、リセットカム８２の突起部８２ａの位置をそれぞれリセットカム軸５１の回転方向にずれるように設けると、図１０（ａ）に示すように、リセットカム８２に形成された二つ突起部８２ａがずれていることで、各リセットレバー５３，５４の移動している時間帯が重ならない。このためリセットレバーを移動する際に、バネ５８から受ける力は、リセットレバーを２本同時に移動する場合の半分で済む。すなわち実施形態２のリセット機構は、従来のリセット機構に比べて小さいトルクでリセット機構を駆動することができる。さらに、図１０（ｂ）に示すように、各糸調子ユニットでリセットカム軸５１に設ける位置をずらしていることで各糸調子ユニット間でもリセットレバー５３，５４の移動している時間帯が重ならない。従って、糸調子ユニット全体におけるトルクは、各糸調子ユニットのリセットレバー５３，５４単位の動作毎に移動するタイミングをずらすことができるようになる。このように、どのリセットレバー５３，５４を移動させる際においても、最大でも糸調子ユニット一台分のトルクで済むこととなる。
【００３２】
＜実施形態２の作用効果＞
このように、ミシンの糸調子装置１によれば、リセット機構５０のリセットカム８２は、それぞれの糸の張力を基準値に復帰させるタイミングをずらして各糸の張力を基準値に復帰させるので、各々の糸張力未調整機構のリセットに必要なトルクが小さくてすみ、また、糸張力微調整機構３０が複数設けられていても、複数の糸の張力を同時に基準値に復帰させることがなくなり、基準値に復帰させる時点で見れば一台分のトルクで糸の張力を基準値に復帰させることが可能となる。
よって、リセット機構５０を駆動させるときの駆動トルクの増大を抑制することができる。
【００３３】
すなわち、糸張力調整機構１０の動作に連動してリセットカム軸５１が回転すると、リセットカム８２も共に回転する。リセットカム８２の回転動作により、リセットカム８２に形成された突起部８２ａはリセットレバー５３，５４の突起部５３ａ，５４ａに当接し、リセットレバー５３，５４を駆動させる。
ここで、それぞれの突起部８２ａは、リセットカム軸５１の軸線に対してその回転方向に異なる位置となるようにリセットカム８２に形成されているため、リセットカム軸５１が回転した場合に、それぞれの突起部８２ａはリセットレバー５３，５４に各々のリセットレバーが移動する時間帯が重ならないように当接する。このためリセットレバーを移動する際に、バネ５８から受ける力は、リセットレバーを２本同時に移動する場合の半分で済む。すなわち実施形態２のリセット機構は、従来のリセット機構に比べて小さいトルクでリセット機構を駆動することができる。
また、各糸調子ユニットでリセットカム軸５１に設ける位置をずらすことで各糸調子ユニット間でもリセットレバー５３，５４の移動している時間帯が重ならない
これにより、糸張力微調整機構３０が複数設けられていても、複数の糸の張力を同時に基準値に復帰させることがなくなり、基準値に復帰させる時点で見れば一台分のトルクで糸の張力を基準値に復帰させることが可能となる。
よって、リセット機構５０を駆動させるときの駆動トルクの増大を抑制することができる。
【００３４】
なお、本発明は上記実施形態に限られるものではない。例えば、実施形態２において、リセットカム８２のように突起部８２ａを形成する位置をずらすだけではなく、リセットレバー５３，５４に形成される突起部５３ａ，５４ａの位置を変えて、リセットレバー５３，５４の動作するタイミングを変化させてもよい。
また、各糸調子ユニットにおける全てのリセットカムを同一形状にする必要はなく、各糸調子ユニット毎に突起部の位置、外形等の異なる形状にしてもよい。
【図面の簡単な説明】
【００３５】
【図１】ミシンの糸調子装置の斜視図。
【図２】ミシンの糸調子装置の側面図。
【図３】図２におけるＡ−Ａ断面図。
【図４】図３におけるＢ−Ｂ断面図であり、微調整ダイヤルの動作前の状態を示す図。
【図５】図３におけるＢ−Ｂ断面図であり、微調整ダイヤルの動作後の状態を示す図。
【図６】図３におけるＢ−Ｂ断面図であり、リセット機構の動作を説明する図。
【図７】（ａ）は糸調子装置の一部の平面図、（ｂ）は糸調子装置の一部の側面図。
【図８】（ａ）は従来のように全てのリセットカムを同じ位相でリセットカム軸に設けた場合の負荷トルクを示す図、（ｂ）は全てのリセットカムを異なる位相でリセットカム軸に設けた場合の負荷トルクを示す図。
【図９】リセットカム回りを説明するリセット機構の側面図。
【図１０】（ａ）は突起部の形成位置をずらすとともにリセットカムのリセットカム軸への取り付け位置をずらした場合の負荷トルクを示す図、（ｂ）は突起部の形成位置をずらすとともにリセットカムのリセットカム軸への取り付け位置を同じにした場合の負荷トルクを示す図。
【符号の説明】
【００３６】
１  ミシンの糸調子装置
１０  糸張力調整機構
１１  ステッピングモータ（駆動源）
３０  糸張力微調整機構
３２  微調整ダイヤル
５０  リセット機構
５１  リセットカム軸
５２  リセットカム
５２ａ  突起部（駆動力付与部）
５３  リセットレバー
５３ａ  突起部
５４  リセットレバー
５４ａ  突起部
８２  リセットカム
８２ａ  突起部（駆動力付与部）
【図１】
2009142541.tif 000003
【図２】
2009142541.tif 000004
【図３】
2009142541.tif 000005
【図４】
2009142541.tif 000006
【図５】
2009142541.tif 000007
【図６】
2009142541.tif 000008
【図７】
2009142541.tif 000009
【図８】
2009142541.tif 000010
【図９】
2009142541.tif 000011
【図１０】
2009142541.tif 000012